(57)【特許請求の範囲】
【請求項１】
住宅設備機器のキャビネットに引き出し部が引き出し収納自在に設けられ、被乾燥物を収納して温風で乾燥させるための引き出し形乾燥庫であって、
前記キャビネットに設けられ、温風発生部とその配線が設けられたケーシング部と、
このケーシング部に対して引き出し収納自在に設けられ、前記被乾燥物を収納可能な前記引き出し部とを備え、
前記温風発生部を操作するために前記配線が接続されたスイッチ部を、前記ケーシング部または前記キャビネットの前面部に配置し、
前記引き出し部を前記ケーシング部に収納した状態で、この引き出し部の前板と前記ケーシング部の前記スイッチ部とがほぼ面一になり、
前記引き出し部の前方に設けられた前板には、前記スイッチ部の取り付け位置および形状に対応する切り欠き部を形成したことを特徴とする引き出し形乾燥庫。
【請求項２】
請求項１に記載の前記引き出し形乾燥庫が前記キャビネットに設けられていることを特徴とする引き出し形乾燥庫を有する住宅設備機器。
【発明の詳細な説明】
【技術分野】
【０００１】
本発明は、住宅設備機器のキャビネットに引き出し部が引き出し収納自在に設けられ、被乾燥物を収納して乾燥させるための引き出し形乾燥庫およびこれを有する住宅設備機器に関する。
【背景技術】
【０００２】
システムキッチンなど住宅設備機器には、そのキャビネットに引き出し部を引き出し収納自在に設け、被乾燥物を引き出し部に収納してこれを乾燥させるための引き出し形乾燥庫を備えている場合がある。
たとえば、特許文献１（特開２００６−３４１００４号公報）には、キッチンに設けられた引き出し形の乾燥キャビネットの構造が記載されている。この乾燥キャビネットでは、引き出し前板の上側に横方向に細長く延びるライン型の把手を設け、乾燥機構のためのスイッチユニットと排気ユニットを把手の凹部に組み込んでいる。
【特許文献１】特開２００６−３４１００４号公報
【発明の開示】
【発明が解決しようとする課題】
【０００３】
特許文献１に記載の乾燥キャビネットは、引き出し前板にスイッチユニットを設けているので、前後方向に移動する乾燥キャビネットのスイッチユニットに、電流を供給するための配線を設けなければならない。そのため、固定側（システムキッチンのキャビネット）と移動側（乾燥キャビネット）との間の配線構造が複雑になっていた。
また、乾燥キャビネットのライン型の把手が、スイッチユニットを有する特殊構造になっているので、乾燥キャビネットがその周囲の引き出しなどと外観的に異和感が生じて、キッチン全体の調和を図り難い傾向があった。
【０００４】
本発明は、このような課題を解決するためになされたもので、前後方向に移動する引き出し部に配線を設ける必要がなく、また、この引き出し部をキャビネットに収納した状態で引き出し形乾燥庫の周囲の他の引き出しなどと外観的に異和感がなく、住宅設備機器全体の調和を図ることのできる引き出し形乾燥庫およびこれを有する住宅設備機器を提供することを目的とする。
【課題を解決するための手段】
【０００５】
上述の目的を達成するため、本発明にかかる引き出し形乾燥庫は、住宅設備機器のキャビネットに引き出し部が引き出し収納自在に設けられ、被乾燥物を収納して温風で乾燥させるための引き出し形乾燥庫であって、前記キャビネットに設けられ、温風発生部とその配線が設けられたケーシング部と、このケーシング部に対して引き出し収納自在に設けられ、前記被乾燥物を収納可能な前記引き出し部とを備え、前記温風発生部を操作するために前記配線が接続されたスイッチ部を、前記ケーシング部または前記キャビネットの前面部に配置し、前記引き出し部を前記ケーシング部に収納した状態で、この引き出し部の前板と前記ケーシング部の前記スイッチ部とがほぼ面一になり、前記引き出し部の前方に設けられた前板には、前記スイッチ部の取り付け位置および形状に対応する切り欠き部を形成している。
本発明にかかる住宅設備機器では、前記構成の引き出し形乾燥庫が前記キャビネットに設けられている。
【発明の効果】
【０００６】
本発明にかかる引き出し形乾燥庫およびこれを有する住宅設備機器は、上述のように構成したので、前後方向に移動する引き出し部に配線を設ける必要がなく、また、この引き出し部をキャビネットに収納した状態で、引き出し形乾燥庫の周囲の他の引き出しなどと外観的に異和感がなく、住宅設備機器全体の調和を図ることができる。
【発明を実施するための最良の形態】
【０００７】
下記の実施例にかかる引き出し形乾燥庫は、住宅設備機器のキャビネットに引き出し部が引き出し収納自在に設けられ、被乾燥物を収納して温風で乾燥させている。この引き出し形乾燥庫は、キャビネットに設けられ温風発生部とその配線が設けられたケーシング部と、このケーシング部に対して引き出し収納自在に設けられ、被乾燥物を収納可能な引き出し部とを備えている。
そして、温風発生部を操作するために配線が接続されたスイッチ部を、ケーシング部の前面部またはキャビネットの前面部に配置している。引き出し部をケーシング部に収納した状態で、この引き出し部の前板とケーシング部のスイッチ部とがほぼ面一になるようにしている。
これにより、前後方向に移動する引き出し部に配線を設ける必要がなく、また、この引き出し部をキャビネットに収納した状態で、引き出し形乾燥庫の周囲の他の引き出しなどと外観的に異和感がなく、住宅設備機器全体の調和を図るという目的を実現している。
【０００８】
本発明における住宅設備機器としては、台所に設置されるキッチン（たとえば、複合厨房家具の一種であるシステムキッチン，セクショナルキッチン）、食器や食品などを収納する収納庫、および台所の流し台などの厨房家具が一般的である。
本発明の引き出し形乾燥庫は、洗面化粧台や洗面収納キャビネットなどの洗面機器、およびその他の住宅設備機器にも適用可能である。下記の実施例では、引き出し形乾燥庫をシステムキッチンに設けた場合を例にとって説明する。
【実施例】
【０００９】
以下、本発明にかかる一実施例を、図１ないし図６を参照して説明する。
図１は、引き出し形乾燥庫を有するシステムキッチンの正面図である。図２，図３は、それぞれ引き出し形乾燥庫を含むキャビネットの正面図，斜視図である。図４は、引き出し形乾燥庫を含むキャビネットの斜視図で、引き出し形乾燥庫の引き出し部を少し引き出した状態を示している。
図５は、引き出し形乾燥庫を含むキャビネットの斜視図で、引き出し形乾燥庫の引き出し部と他の引き出しを引き出した状態を示している。図６は、引き出し形乾燥庫の右側面図である。
なお、説明の便宜上、各図中の矢印Ｄ1，Ｄ2，Ｄ3，Ｄ4で示す各方向を、それぞれシステムキッチンの左方，右方，前方，後方とする。
【００１０】
図１に示すように、住宅設備機器としてのシステムキッチン１０は、台所に設置されており、被乾燥物２を収納して乾燥させるための引き出し形乾燥庫１を有している。システムキッチン１０のキャビネット１１は床面上に設置されている。
キャビネット１１は、コンロキャビネット１２，乾燥庫キャビネット１３，シンクキャビネット１４および調理台キャビネット１５などが順次並設された構成であり、ワークトップ１６が、キャビネット１２〜１５の上部を覆って取付けられている。キャビネット１１には、引き出し形乾燥庫１の引き出し部４の他に各種形状，構造の複数の引き出しが、引き出し収納自在に設けられている。
【００１１】
コンロキャビネット１２には、グリル１７を有するＩＨクッキングヒータや引き出し１８，１９などが設けられて、単体としての厨房家具が構成されている。乾燥庫キャビネット１３は、引き出し形乾燥庫１や引き出し２０，２１などを有して、単体としての厨房家具を構成している。
シンクキャビネット１４の上部のワークトップ１６には、水栓装置やシンクが設けられている。シンクキャビネット１４は、水栓装置，シンクの他に引き出し２２などを有しており、シンクの前面には幕板３１が設けられて、単体としての厨房家具を構成している。
調理台キャビネット１５は、ビルトインにより設けられた食器洗い乾燥機２３と、引き出し２４とを有して、単体としての厨房家具を構成している。
乾燥庫キャビネット１３および調理台キャビネット１５の上部のワークトップ１６は、調理台になっている。こうして、システムキッチン１０は、単体としての厨房家具が複合した複合厨房家具を構成している。
【００１２】
図１ないし図６に示すように、本実施例では、乾燥庫キャビネット１３に引き出し形乾燥庫１が設けられ、引き出し形乾燥庫１の上部と下部にそれぞれ引き出し２０，２１が配置されている。
引き出し形乾燥庫１は、システムキッチン１０のキャビネット１１に引き出し部４が引き出し収納自在に設けられ、被乾燥物２を引き出し部４に収納して温風５で乾燥させる機能を有している。
食器類は食器洗い乾燥機２３で洗浄，乾燥されるので、引き出し形乾燥庫１で乾燥する被乾燥物２としては、主として、鍋，ボール，レードル，お玉杓子，菜箸など調理用器具や、ナイフ，フォーク，布部材（たとえば、布巾，タオル）などがある。
引き出し形乾燥庫１は、シンクのすぐ近くに配置されているので、シンクで被乾燥物２を洗って軽く水切りした後、すぐ近くの引き出し形乾燥庫１に収納して乾燥することができ、使い勝手がよい。引き出し形乾燥庫１は、本実施例のようにシンクのすぐ近くに配置するのが好ましいが、その他の位置に配置する場合であってもよい。
【００１３】
引き出し形乾燥庫１は、キャビネット１１に設けられ温風発生部６とその配線６ａが設けられたケーシング部７と、ケーシング部７に対して引き出し収納自在に設けられ、被乾燥物２を収納可能な引き出し部４とを備えている。
本実施例の引き出し形乾燥庫１は、左右方向（矢印Ｄ1，Ｄ2方向）の幅寸法（たとえば、４５０mm）が比較的短いが、幅寸法が長い場合であってもよい。引き出し部４は、前方に位置して固定された前板９を有しており、前板９には排気口２６が形成されている。
【００１４】
ケーシング部７の後部には、温風発生部６が取付けられており、温風発生部６は、送風機３２とヒータ３３を有している。
送風機３２で発生した風が、ヒータ３３を通って温風５となり、この温風５が、引き出し部４の後部に形成された温風入口を通って、引き出し部４の内部スペースに供給されるようになっている。
【００１５】
引き出し形乾燥庫１では、温風発生部６を操作するために配線６ａが接続されたスイッチ部８が、ケーシング部７の前面部に配置されている。なお、スイッチ部８を、キャビネット１１の前面部に設けた場合であってもよい。
スイッチ部８には、温風発生部６の電源をオン・オフする電源スイッチや、温風５の風量，温度などを所定値に切換えるための選択スイッチや、各種表示部などが設けられている。
【００１６】
引き出し部４をケーシング部７に収納した状態で、引き出し部４の前板９とケーシング部７のスイッチ部８とが、ほぼ面一になるように構成されている。その結果、前後方向（矢印Ｄ3，Ｄ4方向）に移動する引き出し部４に配線６ａを設ける必要がなく、また、引き出し部４をキャビネット１１に収納した状態で、引き出し形乾燥庫１の周囲の他の引き出し（たとえば、引き出し１８〜２２）や幕板３１などと外観的に異和感がなく、システムキッチン１０全体の調和を図ることができる。
【００１７】
前板９には、スイッチ部８の取り付け位置（正面から見て、引き出し形乾燥庫１の右上角部）および形状（正面から見て横に長い矩形状）に対応する切り欠き部３０が形成されている。引き出し部４をケーシング部７に収納した状態で、スイッチ部８が切り欠き部３０に係合するようになっている。
すなわち、引き出し部４を前方に引き出した状態では（図１〜図３）、前板９とスイッチ部８とがほぼ面一になっているので、スイッチ部８はあたかも前板９に取付けられているような外観になる。
ところが、引き出し部４を前方に引き出すと（図４，図５）、スイッチ部８は、ケーシング部７に取付けられているので、前方には移動せずケーシング部７の前面部に残ったままであり、前板９を含む引き出し部４のみが前方に移動することになる。
この状態では、前板９の角部に切り欠き部３０が形成されていることが分かる。この切り欠き部３０は前板９の角部に形成されているので、前板９を容易に製造することができる。
なお、切り欠き部３０を前板９の右上角部に形成した場合を示しているが、切り欠き部３０の位置および形状は、スイッチ部８の取り付け位置および形状にそれぞれ対応すればよいので、前板９の他の場所で且つ他の形状であってもよい。
こうして、システムキッチン１は、キャビネット１１に設けられた上述の構成の引き出し形乾燥庫１を有している。
【００１８】
上述の引き出し形乾燥庫１を使用するときには、引き出し部４に被乾燥物２を収納した状態で、引き出し部４をケーシング部７に収納する。そして、スイッチ部８を操作して配線６ａを介して温風発生部６を運転すれば、温風発生部６の送風機３２とヒータ３３により発生した温風５が、引き出し部４の後部に形成された温風入口から、引き出し部４内に流れ込む。
すると、温風５は、引き出し部４に収納されている被乾燥物２に接触して乾燥させた後、被乾燥物２から蒸発した水蒸気と一緒になって、ケーシング部７で囲まれた内部スペースを通り、前板９に形成された排気口２６から外部に排出される。
【００１９】
スイッチ部８を固定側のケーシング部７に設けており、移動側の引き出し部４に設ける必要がないので、引き出し部４を前後方向に移動させても、配線６ａがそれに伴なって変形することはなく、配線６ａの寿命が長くなる。
【００２０】
食器洗い乾燥機２３と異なって、引き出し形乾燥庫１では、被乾燥物２の洗浄は行わず、温風５を内部に流して乾燥させているので、引き出し形乾燥庫１自体の防水性と密閉性はそれほど厳しくない。
したがって、引き出し形乾燥庫１における引き出し部４の前板９の材質や模様を、その周囲の他の引き出し１８〜２２，２４の各前板や幕板３１などと同じ材質（たとえば、木製）や模様にすることができる。
その結果、引き出し形乾燥庫１をキャビネット１１に組み込んでも、システムキッチン１０を前方から見たとき、引き出し形乾燥庫１がそれ自体特に目立つことがなく、その周囲の他の引き出しや幕板３１などと外観的に異和感がない。よって、システムキッチン１０全体の意匠的な調和を図って、外観全体が統一性のある美しさを発揮することができ、設計，製作上も負担が少ない。
【００２１】
システムキッチン１０に引き出し形乾燥庫１を設けたので、洗い終わった調理用器具などがワークトップ１６の上などに露出することがなくなり、システムキッチン１０の周囲が乱雑にならない。
特に、対面形のシステムキッチン１０においては、その周囲を常に乱雑にならずすっきりした清潔な状態に保つことができる。
【００２２】
以上、本発明の実施例を説明したが、本発明は上述の実施例に限定されるものではなく、本発明の要旨の範囲で種々の変形，付加などが可能である。
なお、各図中同一符号は同一または相当部分を示す。
【産業上の利用可能性】
【００２３】
本発明は、システムキッチンや収納庫など住宅設備機器のキャビネットに設けられる引き出し形乾燥庫に適用可能である。
【図面の簡単な説明】
【００２４】
【図１】図１ないし図６は本発明の一実施例を示す図で、図１は、引き出し形乾燥庫を有するシステムキッチンの正面図である。
【図２】引き出し形乾燥庫を含むキャビネットの正面図である。
【図３】引き出し形乾燥庫を含むキャビネットの斜視図である。
【図４】引き出し形乾燥庫を含むキャビネットの斜視図で、引き出し形乾燥庫の引き出し部を少し引き出した状態を示している。
【図５】引き出し形乾燥庫を含むキャビネットの斜視図で、引き出し形乾燥庫の引き出し部と他の引き出しを引き出した状態を示している。
【図６】引き出し形乾燥庫の右側面図である。
【符号の説明】
【００２５】
１    引き出し形乾燥庫
２    被乾燥物
４    引き出し部
５    温風
６    温風発生部
６ａ  配線
７    ケーシング部
８    スイッチ部
９    前板
１０  システムキッチン（住宅設備機器）
１１  キャビネット
３０  切り欠き部
【図１】
0005268296.tif 000002
【図２】
0005268296.tif 000003
【図３】
0005268296.tif 000004
【図４】
0005268296.tif 000005
【図５】
0005268296.tif 000006
【図６】
0005268296.tif 000007